(57)【要約】【課題】少ない部品点数で、簡易な構造により拡散パネルを取り付けることができるＬＥＤ照明器具を提供する。【解決手段】ＬＥＤ光源２１を収容した器具本体２０は、被取付部１１に取り付けられた枠体３０によって支持されるので、器具本体２０は枠体３０を介して被取付部１１に取り付けられる。枠体３０に取り付けられる化粧枠セット４０は、化粧枠４３を有する。化粧枠４３には、ＬＥＤ光源２１からの光を配光調整する拡散パネル４１と、ＬＥＤ光源２１からの光を所望の方向に反射する反射部材４２と、が取り付けられる。化粧枠４３には、被取付部１１に直交する方向へ突出する突部５１と、突部５１に対向する位置にグレアカット部５２とを設けた。そして、突部５１の裏面に拡散パネル４１を位置決めする位置決め部５３を設けるとともに、反射部材４２に拡散パネル４１を係止する係止突起４４を設けた。このため、少ない部品点数で、簡易な構造により拡散パネル４１を取り付けることができる。【選択図】図１
2014116189.tif 000002
【特許請求の範囲】
【請求項１】
ＬＥＤ光源を収容する器具本体と、
被取付部に取り付けられ前記器具本体を支持する枠体と、
前記枠体に取り付けられ前記ＬＥＤ光源からの光を所望の方向に照射させる化粧枠セットと、を有し、
前記化粧枠セットは、
前記ＬＥＤ光源からの光を配光調整する拡散パネルと、
前記ＬＥＤ光源からの光を所望の方向に反射する反射部材と、
前記拡散パネルおよび前記反射部材を支持する化粧枠と、を有し、
前記化粧枠に、前記被取付部に直交する方向へ突出する突部を設けるとともに、前記突部に対向する位置にグレアカット部を設け、
前記突部の裏面に前記拡散パネルの位置決め部を設けるとともに、前記反射部材に前記拡散パネルを係止する係止突起を設けたＬＥＤ照明器具。
【請求項２】
請求項１に記載のＬＥＤ照明器具において、
前記反射部材が、前記被取付部に直交する投影方向から見て前記化粧枠の突部に対して隠れる大きさであるＬＥＤ照明器具。
【発明の詳細な説明】
【技術分野】
【０００１】
本発明は、発光部の前方に配光を調整する拡散パネルを有するＬＥＤ照明器具に関するものである。
【背景技術】
【０００２】
従来、発光部の前方に拡散パネルを有する照明器具が知られている（例えば、特許文献１参照）。
図９に示すように、特許文献１に記載の照明器具１００は、天井等に形成した取付孔１０１内に取り付けて使用するダウンライトであり、ダウンライト本体１０２と、このダウンライト本体１０２を取付孔１０１に取り付けるための取付具１０３を有する。
ダウンライト本体１０２は、基本構成ユニット１０４を有する。基本構成ユニット１０４は、反射体１０５、ソケット１０６及びソケット１０６に取り付けられる光源であるランプ１０７を有する。
基本構成ユニット１０４の前側には、アダプタ１０８を介してコーン１０９が取り付けられる。
また、ランプ１０７の前方には、拡散パネル等のレンズ１１０が取り付けられる。
【先行技術文献】
【特許文献】
【０００３】
【特許文献１】特開２００８−３４１８５号公報（第２図）
【発明の概要】
【発明が解決しようとする課題】
【０００４】
ところで、光源としてＬＥＤユニットを用いたＬＥＤ照明器具においては、ＬＥＤユニットが発する熱のため、強化ガラスを用いた拡散パネルを採用するのが一般的である。
しかしながら、このような拡散パネルを用いる構造においては、部品点数が多く、構造が複雑になるとともに、製造コストが高いという問題があった。
【０００５】
本発明は、従来の問題を解決するためになされたもので、少ない部品点数で、簡易な構造により拡散パネルを取り付けることができるＬＥＤ照明器具を提供することを目的とする。
【課題を解決するための手段】
【０００６】
本発明のＬＥＤ照明器具は、ＬＥＤ光源を収容する器具本体と、被取付部に取り付けられ前記器具本体を支持する枠体と、前記枠体に取り付けられ前記ＬＥＤ光源からの光を所望の方向に照射させる化粧枠セットと、を有し、前記化粧枠セットは、前記ＬＥＤ光源からの光を配光調整する拡散パネルと、前記ＬＥＤ光源からの光を所望の方向に反射する反射部材と、前記拡散パネルおよび前記反射部材を支持する化粧枠と、を有し、前記化粧枠に、前記被取付部に直交する方向へ突出する突部を設けるとともに、前記突部に対向する位置にグレアカット部を設け、前記突部の裏面に前記拡散パネルの位置決め部を設けるとともに、前記反射部材に前記拡散パネルを係止する係止突起を設けたものである。
【０００７】
また、本発明のＬＥＤ照明器具は、前記反射部材が、前記被取付部に直交する投影方向から見て前記化粧枠の突部に対して隠れる大きさであるものである。
【発明の効果】
【０００８】
本発明は、化粧枠に設けた突部の裏面に拡散パネルを位置決めする位置決め部を設けるとともに、反射部材に拡散パネルを係止する係止突起を設けた。このため、少ない部品点数で、簡易な構造により拡散パネルを取り付けることができるという効果を有するＬＥＤ照明器具を提供できる。
【図面の簡単な説明】
【０００９】
【図１】本発明に係る実施形態のＬＥＤ照明器具を天井面に取り付けて壁面を照明している状態を示す断面図
【図２】（Ａ）は本発明に係る実施形態のＬＥＤ照明器具の平面図、（Ｂ）は（Ａ）中Ｂ方向から見た側面図、（Ｃ）は（Ｂ）中Ｃ方向から見た端面図
【図３】図２（Ａ）中ＩＩＩ−ＩＩＩ位置の断面図
【図４】本発明に係る実施形態のＬＥＤ照明器具の分解斜視図
【図５】化粧枠セットの斜視図
【図６】化粧枠セットの組み立て方を示す分解斜視図
【図７】（Ａ）は化粧枠を上方から見た斜視図、（Ｂ）は（Ａ）中Ｂ−Ｂ位置の断面図
【図８】（Ａ）は化粧枠セットを下方から見た底面図、（Ｂ）は化粧枠の突部を透視した底面図
【図９】従来のダウンライト型照明器具の分解断面図
【発明を実施するための形態】
【００１０】
以下、本発明に係る実施形態のＬＥＤ照明器具について、図面を用いて説明する。
図１に示すように、本発明に係る実施形態のＬＥＤ照明器具１０は、被取付部である例えば天井面１１の取付孔１２に取り付けて、天井面１１と直交する壁面１３を照明するのに用いることができる。
なお、以下の説明においては、ＬＥＤ照明器具１０を天井面１１の取付孔１２に取り付けて、照明光を斜め下方に照射して壁面１３を照明する場合について説明する。
従って、照明方向は斜め下方となる。
【００１１】
図４に示すように、ＬＥＤ照明器具１０は、ＬＥＤ光源２１を収容する器具本体２０、取付孔１２に取り付けられ器具本体２０を支持する枠体３０、枠体３０に取り付けられＬＥＤ光源２１からの光を所望の方向に照射させる化粧枠セット４０を有する。
図２（Ａ）ないし図２（Ｃ）および図３に示すように、天井面１１の取付孔１２（図１参照）には枠体３０が取り付けられ、枠体３０の上に器具本体２０が取り付けられる。
また、枠体３０の内部および下側には、化粧枠セット４０が取り付けられる。
【００１２】
図３に示すように、器具本体２０は、例えばアルミダイキャストにより全体円柱状に形成されており、下面に凹部２２を有する。
凹部２２の上面には、回路基板２１１にＬＥＤ２１２を実装したＬＥＤ光源２１が取り付けられており、ＬＥＤ光源２１の照射方向（下側）には、反射板２３が設けられている。
反射板２３は、下方に向かって徐々に内径が大きくなる円錐台形状の反射面を有しており、ＬＥＤ光源２１から発せられた光を下方へ反射する。
【００１３】
図２（Ａ）ないし図２（Ｃ）および図３に示すように、器具本体２０の上部には、ＬＥＤ光源２１が発した熱を放熱する多数の板状の放熱フィン２４が設けられている。
放熱フィン２４の上部は一部（図３において左半分）切り欠かれており、この切欠き部分には、矩形箱状のブラケット２５が外側に張り出した状態で取り付けられている。
ブラケット２５の張り出した先端部には、商用電源に接続されて電力の供給を受ける電源部２６が取り付けられている。
【００１４】
図４に示すように、器具本体２０の下部には、台座２７が取り付けられている。
台座２７は、円筒形状の台座本体２７１と、台座本体２７１の上端に設けられた鍔部材２７２を有する。
また、台座本体２７１の下側には、台座本体２７１の外径よりも小さな外径を有する円筒形状の小径部２７３（図３参照）を有する。
【００１５】
器具本体２０の下側には、天井面１１の取付孔に固定される例えば金属製の枠体３０が設けられている。
枠体３０は、上部に円環板状の上取付板３１を有し、下部には円環板状の鍔部３２を有する。
上取付板３１と鍔部３２とは、対向する一対の縦板３３により、所定間隔で互いに平行に対向して連結される。
鍔部３２は、枠体３０を天井面１１の取付孔に取り付けた際に、天井面１１の下面に当接して、下方に露出する。
【００１６】
縦板３３は、上取付板３１および鍔部３２の全周を覆う必要はなく、少なくとも２カ所設ければ良い。なお、縦板３３は、折曲げ加工により鍔部３２と一体で設けることができる。
各縦板３３には切欠き３３１が上下方向に沿って設けられており、取付板３４が上下移動可能、かつ、常時下方へ付勢されて設けられている。
従って、取付板３４と鍔部３２の上面との間に天井部材（天井面１１）を挟持することにより、枠体３０は天井面１１に取り付けられる。
【００１７】
上取付板３１は、縦板３３の上端に、例えば、ねじにより取り付けられる。
鍔部３２において、例えば各縦板３３に隣接する位置には、板状のバネ受け３５が、鍔部３２の周方向に沿って設けられている。
バネ受け３５には、上方に開口した全体Ｔ字形状の係止切欠き３５１が設けられており、一対のバネ係止片３５２が一旦内側に折曲げられた後、互いに接近する方向に折曲げられて形成されている。
【００１８】
図４に示すように、枠体３０には、ＬＥＤ光源２１からの光を所望の方向に照射させる化粧枠セット４０が取り付けられている。
図５および図６に示すように、化粧枠セット４０は、ＬＥＤ光源２１からの光を配光調整する拡散パネル４１と、ＬＥＤ光源２１からの光を所望の方向に反射する反射部材４２と、拡散パネル４１および反射部材４２を支持する化粧枠４３とを有する。
【００１９】
拡散パネル４１は、金属または樹脂からなる円形リング状のパネルフレーム４１１と、パネルフレーム４１１に取り付けられた透光性の強化ガラスや樹脂からなるパネル本体４１２とを有する。
反射部材４２は樹脂で形成されており、化粧枠４３の略半周に沿って上方に延びる上部４２１と、化粧枠４３の内側に突出した略球面状の下部４２２から構成されており、内面は鏡面仕上げされて反射面となっている。
反射部材４２の下部４２２の下端部中央には、化粧枠４３の内側に突出するパネル押え（係止突起）４４が設けられている。
パネル押え４４は、矩形舌状をしており、基端部には貫通孔４４１を有する。
【００２０】
化粧枠４３は、樹脂製または金属製の円形リング板状の化粧板４５を有する。
化粧板４５の下面は、ＬＥＤ照明器具１０を天井面１１に取り付けた状態で下方に露出するため、見栄えの良いものとしている。
化粧板４５の周方向における一部の上面には、立上部４６が設けられており、立上部４６の周方向両端には、各々立上部４６から内側に向かって突出する横位置決め部（位置決め部）４７が設けられている。
一対の横位置決め部４７は、拡散パネル４１の横方向（水平方向）の位置決めを行うものであり、拡散パネル４１のパネルフレーム４１１が嵌合するスリット４７１が設けられている。
【００２１】
立上部４６における周方向中央部には、キックバネ４８が取り付けられている。
また、化粧板４５の上面において周方向中央部に対向する位置には、バネ取付台４９が設けられており、同様にキックバネ４８が取り付けられている。
キックバネ４８は、中央の巻回部（図示省略）から左右両側に延びる一対のアーム４８１を有しており、一対のアーム４８１は、互いに離反する方向に付勢されている。
【００２２】
図４および図７に示すように、化粧板４５の内部には、天井面１１に直交する方向（下方）へ突出する突部５１を設けた。
図８（Ａ）および図８（Ｂ）に示すように、突部５１は、化粧板４５の内側空間を一部覆うものである。
突部５１は、天井面１１に直交する投影方向（下方）から見て反射部材４２を隠す大きさである。
図７に示すように、突部５１の裏面（上面）で、反射部材４２のパネル押え４４に対応する位置には、拡散パネル４１の下端部を位置決めする下位置決め部（位置決め部）５３が設けられている。
下位置決め部５３には、ねじ孔５３１が設けられている。
【００２３】
また、図４および図７に示すように、化粧板４５の上面で突部５１に対向する位置に、グレアカット部５２を設けた。
図８（Ａ）および図８（Ｂ）に示すように、グレアカット部５２は、化粧板４５の上方から化粧板４５の内側空間を一部覆う。
従って、化粧板４５の内部空間は、突部５１およびグレアカット部５２によって覆われ、中央部に光が通過可能な開口部５４が形成される。
【００２４】
次に、ＬＥＤ照明器具１０の組立および天井面１１への取付手順について説明する。
なお、器具本体２０と枠体３０とは、予め取り付けておく。
まず、図６に示すように、化粧枠セット４０を組み立てる。
拡散パネル４１のパネルフレーム４１１の側部を、左右の横位置決め部４７のスリット４７１に通し、パネルフレーム４１１の先端部（下端部）を、突部５１の下位置決め部５３により位置決めする（図６中矢印Ａ参照）。
これにより、拡散パネル４１は、一対の横位置決め部４７と、下位置決め部５３の３カ所で位置決めされることになる。
【００２５】
次いで、反射部材４２を化粧枠４３の上から被せ（図６中矢印Ｂ参照）、パネル押え４４の貫通孔４４１にビス５５を通して、突部５１の裏面に設けられている下位置決め部５３のねじ孔５３１に、ビス５５を締め付ける。
これにより、反射部材４２を化粧枠４３に取り付けると同時に、拡散パネル４１を位置決めして取り付けることができる。
【００２６】
一方、枠体３０を天井面１１の取付孔１２に取り付けるには、枠体３０の取付板３４を上方に上げた状態で、ＬＥＤ照明器具１０を器具本体２０のブラケット２５から挿入し、枠体３０の鍔部３２を天井面１１の下面に当接させる。
枠体３０が取付孔１２に挿入されたら、取付板３４をバネ（図示省略）により下降させ、取付板３４と鍔部３２との間に天井面１１の天井材を挟んで、固定する。
なお、枠体３０の取付けと、化粧枠セット４０の組立ての順番は、どちらが先でも可能である。
【００２７】
次に、組み立てられた化粧枠セット４０を枠体３０に組み付ける。
図４に示すように、化粧枠セット４０のキックバネ４８のアーム４８１を、指でつまんで互いに近づけて鍔部３２の内側に通し、枠体３０のバネ受け３５の係止切欠き３５１に通す。
そして、アーム４８１から指を放すと、キックバネ４８のアーム４８１が、互いに反する方向に拡がるので、バネ受け３５のバネ係止片３５２によって仮係止され、化粧枠セット４０が吊下げ状態となる。
【００２８】
このようにして、一対のキックバネ４８がバネ受け３５により仮係止されたら、化粧枠セット４０を枠体３０の内部に押し上げると、キックバネ４８がさらに拡がって、化粧枠セット４０が枠体３０に固定され、ＬＥＤ照明器具１０が取り付けられる。
なお、化粧枠セット４０を枠体３０から取り外す際には、化粧枠セット４０を引き下げて仮係止状態とし、キックバネ４８のアーム４８１をつまんでバネ受け３５から外すことにより、取り外すことができる。
【００２９】
次に、ＬＥＤ光源２１からの光の動作について説明する。
図１に示すように、ＬＥＤ光源２１から照射された光の一部（ＬＢ１）は、直接あるいは反射板２３で反射して反射部材４２に照射され、反射部材４２で反射して、横方向に広げられ、拡散パネル４１を通過して壁面１３に照射される。
また、ＬＥＤ光源２１から照射された光の一部（ＬＢ２）は、突部５１に照射されて、下方への照射が遮られる。
さらに、ＬＥＤ光源２１から照射された光の一部（ＬＢ３）は、拡散パネル４１に照射されるが、拡散パネル４１を透過してからグレアカット部５２により、下方への照射が遮られる。
【００３０】
本発明のＬＥＤ照明器具１０の作用効果について説明する。
ＬＥＤ光源２１を収容した器具本体２０は、天井面１１に取り付けられた枠体３０によって支持されるので、器具本体２０は枠体３０を介して天井面１１に取り付けられる。
枠体３０には化粧枠セット４０が取り付けられる。化粧枠セット４０は化粧枠４３を有しており、化粧枠４３には、ＬＥＤ光源２１からの光を所望の方向に反射する反射部材４２と、ＬＥＤ光源２１からの光および反射部材４２からの反射光を配光調整する拡散パネル４１とが取り付けられる。
これにより、ＬＥＤ光源２１から発せられた光は、拡散パネル４１に照射されて光のムラを軽減し、反射部材４２で反射して所望の方向へ照射することができる。
【００３１】
また、化粧枠４３には、天井面１１に直交する方向へ突出する突部５１と、突部５１に対向する位置にグレアカット部５２とを設けた。
これにより、所望の照射範囲以外におけるグレアを防止することができる。
そして、突部５１の裏面に拡散パネル４１を位置決めする下位置決め部５３を設け、一対の横位置決め部４７を化粧枠４３に設けるとともに、反射部材４２に拡散パネル４１を係止するパネル押え４４を設けた。
このため、少ない部品点数で、簡易な構造により拡散パネル４１を位置決めして取り付けることができる。
また、下位置決め部５３、横位置決め部４７およびパネル押え４４が、下方から見えないので、外観を損ねるのを防止できる。
【００３２】
また、反射部材４２が、天井面１１に直交する投影方向から見て化粧枠４３の突部５１に対して隠れる大きさであるので、下位置決め部５３、横位置決め部４７およびパネル押え４４が下方から見えないので、外観を損ねるのを防止できる。
【００３３】
本発明のＬＥＤ照明器具は、前述した実施形態に限定されるものでなく、適宜な変形、改良等が可能である。
【符号の説明】
【００３４】
１０  ＬＥＤ照明器具
１１  天井面（被取付部）
２０  器具本体
２１  ＬＥＤ光源
３０  枠体
４０  化粧枠セット
４１  拡散パネル
４２  反射部材
４３  化粧枠
４４  パネル押え（係止突起）
５１  突部
５２  グレアカット部
５３  下位置決め部（位置決め部）
【図１】
2014116189.tif 000003
【図２】
2014116189.tif 000004
【図３】
2014116189.tif 000005
【図４】
2014116189.tif 000006
【図５】
2014116189.tif 000007
【図６】
2014116189.tif 000008
【図７】
2014116189.tif 000009
【図８】
2014116189.tif 000010
【図９】
2014116189.tif 000011